(57)【要約】【課題】  荷カゴに使用目的に応じて高さ調節、開閉自在且つ簡単に取外し可能な仕切りを設け荷カゴ体底部と仕切り棚体との間に収納空間を設ける事ができる簡単で安価な荷カゴ高さ調節機能付仕切り棚を提供する。【解決手段】  荷カゴ内部に納まる大きさを有する仕切り棚基材１の後部側枠部に係着装置付ストッパー３、又はリング付係着部４及び吊り材ストッパー５に掴持され末端を抜止め処理を施した吊り材６を配設する。その対向する仕切り棚１の前部側枠部には掛止部２又は２ａを配設したものから成る。【選択図】    図１
2005306343.tif 000002
【特許請求の範囲】
【請求項１】
荷カゴ内部に納まる大きさを有する仕切り棚基材１の前方側枠部分に掛止部２を配設し、これに対向する後方側枠部分には着脱自在な係着装置付ストッパー３に掴持され末端を抜け止め処理を施した吊り材６を配設したものから成り、係着装置付ストッパー３は吊り材６の仕切り棚基材１との結合部分から抜け止め処理を施した末端までの間を自在に滑動し任意の位置で固定できるものとした構成からなる荷カゴ高さ調節機能付仕切り棚。
【請求項２】
請求項１に記載の荷カゴ高さ調節機能付仕切り棚において仕切り棚基材１の後方側枠部分に結合し吊り材６を掴持するストッパー掛止装置を添着した係着装置付ストッパー３は各々機能が独立したリング付係着部４及び吊り材ストッパー５との組合せで用いることを妨げない。
【発明の詳細な説明】
【技術分野】
【０００１】  本発明は二輪車等に装置される荷カゴに取付け、高さ調節機能を有する仕切棚に関するものである。
【背景技術】
【０００２】  従来荷カゴ内部に仕切り部材を装着する為には荷カゴ本体を堅固な二段式とし下段に出し入れ扉を設けたものや専用の荷カゴと仕切り材を組合せて供給するために荷カゴ本体側を加工したり別部材を予め取付けておいて定位置で仕切るように仕切り部材を装着するものなどがある（例えば特許文献１、２、３参照）。
【特許文献１】実開昭５９−１６３５８４
【特許文献２】実開昭６０−１６４４８０
【特許文献３】実開昭６３−２３１９４
【発明の開示】
【発明が解決しようとする課題】
【０００３】  荷カゴ本体を二段式としているものは固定されている為に上下段両方の広さが限定されてしまい大きな荷物を入れる時は上段が狭い状態で使用しなければならず下段部分の出し入れ扉も狭いため出し入れがしにくく使い勝手が悪い。又、荷カゴ本体側に加工や細工を施しその部分に仕切り部材を装着する場合も取付け位置が固定され確保できる容積が限定され、且つ使用しない時は邪魔である。さらに市販品の荷カゴには対応することが不可能なため製造コストが高くなる。本発明は上記問題点を解決し使用目的に応じて高さ調節、開閉自在、且つ簡単に装着でき安価で提供することを目的としている。
【課題を解決するための手段】
【０００４】  荷カゴ内部に納まる大きさを有する仕切り棚基材１の前方側枠部分に掛止部２又は２ａを設ける。これに対向する後方側枠部分には着脱自在な係着装置付ストッパー３又は其々機能が独立したリング付係着部４及び吊り材ストッパー５に掴持された吊り材６を結合しこの吊り材６の末端には抜け止め処理をする。係着装置付ストッパー３及び吊材ストッパー５は吊り材６の仕切り棚基材１との結合部分から抜け止め処理を施した末端との間を自由に滑動し任意の位置で固定できるものとする。本発明は以上の構成からなる荷カゴ高さ調節機能付仕切り棚である。
【発明の効果】
【０００５】  本発明は以上説明したように構成されているので簡単に荷カゴに装着でき仕切り棚基材１の高さ調節が容易に可能なため以下に記載されるような効果を奏する。〔図２〕の場合仕切り棚基材１の後方側枠部分にヒモ状吊り材６を掴持した掛止部を設ける事により荷カゴ本体背面側上端部に吊着した係着部と仕切り棚基材１の距離を簡単に調節することができ、その高さに合わせて仕切り棚基材１の対向する前方側の掛止部２を荷カゴ体前面部分の任意の位置で掛止すれば良い。これにより下部に収納する品物の大きさに容易に素早く対応することができる。そして二段に仕切ることにより果物のような傷つきやすい物や崩れやすい品物、又貴重品等は下段に収納することで守られ棚の機能を果たす。〔図３〕は荷カゴに納まる程度の荷物やバッグ等の貴重品の場合、仕切り棚基材１はひったくり防止用の蓋としての役目を果たす。又〔図４〕は荷カゴ体からはみ出る大きさの荷物の場合は荷カゴ内部の背面側に沿わせて懸吊すことにより邪魔にならず大きな物も入れることができる。このように荷カゴ高さ調節機能付仕切り棚は荷カゴ本体への細工や加工が必要なく単純な構造なので製造が簡易であり安価で提供できるものである。
【発明を実施するための最良の形態】
【０００６】  以下に本発明の実施の形態を添付した図面を参照して詳細に説明する。仕切り棚基材１は荷カゴ内部に納まる大きさを有し、仕切り棚基材１の前方側枠部分に荷カゴ前面部の任意の場所に掛止できるフック状の掛止部２を結合する。この係止部２は棒状の掛止部２ａ〔図５〕の掛止装置等を挿脱することでも実施できるものとする。対向する後方側枠部分にはヒモ状の吊り材６を結合し、この吊り材６は着脱自在の係着部を添設したストッパーである係着装置付ストッパー３の孔を通した状態で掴持され末端を抜け止め処理を施したものから概略構成されている。又この係着装置付ストッパー３は各々個別の機能である吊り材通し孔を持つリング付係着部４及び吊り材ストッパー５の組合せ〔図６〕により実施することを妨げないものとする。この場合吊り材ストッパー５はリング付係着部４のリング部分の内径より大きく通り抜けない大きさを有するのもとする。これらの係着部は容易に外れなければ爪がない鈎型フックやＵ字型フック等でも良い。又係着装置付ストッパー３は吊り材６の仕切り棚基材１と結合した先端より抜け止めを施した末端まで自在に滑動でき適宜自由な位置で固定できるのもとする。【０００７】  本発明は以上のような構造でこれを使用する場合、通常後方側の吊り材を掴持した係着装置付ストッパー３の係着部を荷カゴ本体の背面側上端部に吊着しておく。荷カゴ内部の用途に応じて上下２段に仕切って使用する場合で〔図２〕に於いては下部に潰れ易い品物や貴重品などを収納し、その大きさに応じて仕切り棚基材１の位置を吊り材６の仕切り棚基材１とカゴに吊着した係着装置付ストッパー３までの長さを変えることにより高さ調節し係着装置付ストッパー３で位置を固定したのち仕切り棚基材１の対向する前方側の掛止部２を荷カゴ前面部分の任意の位置で掛止して使用した状態。〔図３〕に於いては吊り材６を末端側から仕切り棚基材１の付根まで引いて仕切り棚基材１の位置を荷カゴ最上部まで引上げ係着装置付ストッパー３で固定しておく。荷カゴに品物を入れた後、仕切り棚基材１の前部の掛止部２を荷カゴ前面部分の任意の位置で掛止して使用した状態。〔図４〕は〔図５〕と同様に仕切り棚基材１の位置を吊り材６により荷カゴ最上部まで引上げて係着装置付ストッパー３で固定した後、仕切り棚基材１は荷カゴ後部面に沿って懸吊しておき荷カゴに品物を入れて使用した状態を示す。
【図面の簡単な説明】
【０００８】
【図１】本発明である荷カゴ高さ調節機能付仕切り棚の外観図である
【図２】本発明に係る荷カゴに取付け時の状態を示す斜視図である
【図３】本発明に係る荷カゴに取付け時の状態を示す斜視図である
【図４】本発明の説明的斜視図である
【図５】本発明の説明的外観図である
【図６】本発明の説明的斜視図である
【符号の説明】
【０００９】          １  仕切り棚基材
２  掛止部
２ａ掛止部
３  係着装置付ストッパー
４  リング付係着部
５  吊り材ストッパー
６  吊り材
【図１】
2005306343.tif 000003
【図２】
2005306343.tif 000004
【図３】
2005306343.tif 000005
【図４】
2005306343.tif 000006
【図５】
2005306343.tif 000007
【図６】
2005306343.tif 000008